(57)【要約】      （修正有）【課題】視線を移すことなく正面視の状態で第一のレンズと第二のレンズを選択的に使用できるとともに、眼鏡の重量に因る使用感や違和感が低減され、かつ、第二のレンズの良好な保持や顔幅方向にレンズを広げて形成することが容易となる眼鏡を提供する。【解決手段】第一のレンズ１１が装着されて第一のブリッジ１２により接合された一対の第一のリム１３と、前記第一のリム１３に回動可能に接合された一対のテンプル１６と、使用時には第一のレンズ１１の前方に配置され、第二のレンズ１７が装着されて第二のブリッジ１８により接合された第二のリム１９とを備えた眼鏡１０において、第二のリム１９は第一のリム１３よりもレンズ取り付け部が小径に形成されると共に第一のリム１３に上下方向に回動可能に取り付けられるようにした。【選択図】図１
2018106004.tif 000002
【特許請求の範囲】
【請求項１】
第一のレンズが装着されて第一のブリッジにより接合された一対の第一のリムと、前記第一のリムに回動可能に接合された一対のテンプルと、使用時には前記第一のレンズの前方に配置され、第二のレンズが装着されて第二のブリッジにより接合された第二のリムとを備えた眼鏡において、
前記第二のリムは前記第一のリムよりもレンズ取り付け部が小径に形成されると共に前記第一のリムに上下方向に回動可能に取り付けられていることを特徴とする眼鏡。
【請求項２】
前記第一のリムの上辺部には回動凹部が設けられると共に前記第二のリムの上辺部には前記回動凹部に係合する回動凸部が設けられていることを特徴とする請求項1記載の眼鏡。
【請求項３】
前記第二のリムは、前記第一のレンズと前記第二のレンズを組み合わせた状態で焦点が矯正されるように配置されることを特徴とする請求項１記載の眼鏡。
【請求項４】
前記第一のブリッジには、上下動可能に構成されたクリングス部が設けられていることを特徴とする請求項１記載の眼鏡。
【請求項５】
前記第一のリム及び第二のリムには、前記第二のリムの使用時及び非使用時に前記第二のリムを着脱可能に前記第一のリムに固定することができる固定部が設けられていることを特徴とする請求項１記載の眼鏡。
【請求項６】
前記固定部は磁石により磁気吸着できるように構成されていることを特徴とする請求項５記載の眼鏡。
【請求項７】
前記第二のブリッジには、前記第二のリムの使用時に前記第一のレンズと前記第二のレンズとの干渉を回避しうるストッパ部が設けられていることを特徴とする請求項１記載の眼鏡。
【発明の詳細な説明】
【技術分野】
【０００１】
本発明は、第一のレンズに対して第二のレンズが取り付けられ、この第二のレンズが上下回動可能に構成された眼鏡に関する。
【背景技術】
【０００２】
従来、以下に列挙する眼鏡が提案されている。
（１）第一のリムに対して美観を損なうことなく第二のリムを取り付けることを目的とし、第一のリムと第二のリムを磁気によって相互に取り付けるようにした眼鏡（特許文献１）。
（２）多機能型の眼鏡を提供することを目的とし、第二のリムを第一のリムの取り付け部を起点に上下に回動可能とするとともに、第二のリムを第一のリムから着脱可能とした眼鏡（特許文献２）。
（３）第一のレンズに対し容易な取り外しを可能にして第二のレンズを取り付けることを目的とし、第二のレンズを第一のブリッジ付近を起点に上下方向の回動を可能とし、上方の回動を続けることで第二のレンズを第一のレンズから取り外せるようにした眼鏡（特許文献３）。
【先行技術文献】
【特許文献】
【０００３】
【特許文献１】特開２０１２−６８４６９号公報
【特許文献２】特開２００４−３３４０６７号公報
【特許文献３】特開２０１３−１９５８５３号公報
【発明の概要】
【発明が解決しようとする課題】
【０００４】
従来、１つのレンズ領域を主レンズ領域と補助レンズ領域（いわゆる小玉）に区分して、主レンズ領域を近視用とし小玉を遠視用とするような遠近両用レンズ（通称：バイフォーカルレンズ）を用いた眼鏡が広く用いられている。
しかしながら、遠近両用レンズにあっては、例えば、読書や筆記作業の際に小さな小玉の領域に視線を持っていく必要があり、不便性や疲労の問題で長時間の作業に向かない。例えば小玉がレンズ下領域に形成された一般的な遠近両用レンズでは、正面や斜め上に作業位置があると大きく見上げる姿勢になってしまうのである。また、遠近両用レンズは製造も難しく高価になる傾向がある。
【０００５】
特許文献１〜特許文献３に示されている眼鏡を用いると、第一のレンズを近視用とし第二のレンズを遠視用とすることで、バイフォーカルレンズのように視線を小玉に移すことなく常に正面視の状態で第一及び第二のレンズを通して遠くや近くを見ることができる。
即ち、従来の眼鏡にあっては、第一のレンズを使用するとき、第二のレンズを上方に回動させて第一のレンズの前面から退避させ、第二のレンズを使用するとき、第二のレンズを下方に回動させて第一のレンズの前面に配置される。
【０００６】
しかしながら、特許文献１及び特許文献２に示される眼鏡にあっては、第一のリムと第二のリムの大きさが同程度であり、第二のリムが補助的であることとも相俟って、眼鏡の重量に因る使用感や違和感が顕著になる点が嫌気されていた。
【０００７】
また、特許文献３の眼鏡のように第二のレンズが第一のレンズにリムを用いずにポイント的に固定されるものは、第二のレンズの繰り返し回動操作によってレンズの固定が緩んだり外れたりしやすい。また、第二のレンズがポイント的な固定であることから、レンズの健全な保持の観点から横方向（顔幅方向）にレンズを広げて形成することは困難である。そのため、第二のレンズと瞳の相対位置に関わる個人差を補うことが困難であったり、第二のレンズを通した視野が制限されたりする。
【０００８】
本発明は上記事情に鑑みてなされたもので、視線を移すことなく正面視の状態で第一のレンズと第二のレンズを選択的に使用できるとともに、眼鏡の重量に因る使用感や違和感が低減され、かつ、第二のレンズの良好な保持や顔幅方向にレンズを広げて形成することが容易となる眼鏡を提供することを目的とする。
【課題を解決するための手段】
【０００９】
上述した目的を達成するため、請求項１記載の発明にあっては、第一のレンズが装着されてブリッジにより接合された一対の第一のリムと、前記第一のリムに回動可能に接合された一対のテンプルと、使用時には前記第一のレンズの前方に配置され、第二のレンズが装着されてブリッジにより接合された第二のリムとを備えた眼鏡において、前記第二のリムは前記第一のリムよりもレンズ取り付け部が小径に形成されると共に前記第一のリムに上下方向に回動可能に取り付けられていることを特徴とする。
【００１０】
即ち、前記第二のリムは、使用時には前記第一のレンズの前方に配置させることができるので、視線を移動させることなく正面視の状態で前記第二のレンズを使用することができる。また、前記第二のリムは、非使用時には前記第一のレンズの上方に回動させて前記第一のリムの前方から外すことができるので、視線を移動させることなく正面視の状態で前記第一のレンズを使用することができる。
【００１１】
また、前記第二のリムは前記第一のリムよりもレンズ取り付け部（レンズを収容する領域）が小径に形成されるので、前記第二のレンズは前記第一のレンズよりも小さく形成されることになり、前記第二のレンズの重量が前記第一のレンズの重量よりも小さくなる。また、前記第二のリムを構成する部材の減量も可能となり、前記第二のリムの重量も前記第一のリムの重量よりも小さくなる。
【００１２】
更に、前記第二のレンズは、前記第二のリムのレンズ取付け部に取付けられる。即ち、特許文献３の眼鏡のように第二のレンズがリムを用いないで固定する場合と比較して、第二のレンズが強く保持される。
【００１３】
請求項２記載の発明にあっては、請求項１記載の構成に加えて、前記第一のリムの上辺部には回動凹部が設けられると共に前記第二のリムの上辺部には前記回動凹部に係合する回動凸部が設けられていることを特徴とする。
【００１４】
即ち、互いに係合して回動する凹部と凸部が前記第一のリムの上辺に設けられているので前記第一のリムの上辺部を起点として前記第二のリムが上方又は下方に回動するようになる。
【００１５】
請求項３記載の発明にあっては、前記第二のリムは、前記第一のレンズと前記第二のレンズを組み合わせた状態で焦点が矯正されるように配置されることを特徴とする。
【００１６】
例えば、前記第一のレンズとして近視用のレンズが用いられ、このレンズを使用して焦点が矯正される（網膜上に焦点が設定されピントが合わされる）。次いで、前記第一のレンズを使用した状態で、近くの物体を見たときにピントが合うように前記第二のレンズが調整される。
従って、近視用としての第一のレンズを使用するときは、遠視用の第二のリムを第一のリムの上方に跳ね上げておき、跳ね上げた状態の第二のリムを第一のリムの前方に位置するように下方に回動させるだけで、遠視を矯正して近くのものを良好に見ることができる。
【００１７】
請求項４記載の発明にあっては、請求項１記載の構成に加えて、前記第一のリムには、上下動可能に形成されたクリングス部が設けられていることを特徴とする。
【００１８】
例えば、使用の状態で使用者の顔と接触するパッド部を有し、前記クリングス部が前記第一のブリッジに固定されて前記パッド部を保持するようにしたとき、前記クリングス部によって前記パッド部の位置が上下に可変となる。
【００１９】
請求項５記載の発明にあっては、請求項１記載の構成に加えて、前記第一のリム及び前記第二のリムには、前記第二のリムの使用時及び非使用時に前記第二のリムを着脱可能に前記第一のリムに固定することができる固定部が設けられていることを特徴とする。
【００２０】
従って、前記第一のリム（レンズ）を使用するときは、その使用中に前記第二のリムを前記第一のリムの上方に退避させておくことができる。また、前記第二のリム（レンズ）を使用するときは、その使用中に前記第二のリムを前記第一のレンズの前面に配置させておくことができる。
【００２１】
請求項６記載の発明にあっては、請求項５記載の構成に加えて、前記固定部は磁石により磁気吸着できるように構成されていることを特徴とする。従って、前記第二のリムの使用時及び非使用時の状態が磁気によって維持される。
【００２２】
請求項７記載の発明にあっては、請求項１記載の構成に加えて、前記第二のリムには、前記第二のリムの使用時に前記第一のレンズと前記第二のレンズとの干渉を回避しうるストッパ部が設けられていることを特徴とする。
【００２３】
従って、前記第二のリムを下方に回動させたとき、前記第二のリムが弾み付いて勢いよく回動した場合であっても前記第二のレンズ又は前記第二のリムが前記第一のレンズと干渉しないようになる。
【発明の効果】
【００２４】
請求項１記載の発明にあっては、使用時に前記第二のリムを前記第一のレンズの前方に配置させ、非使用時に前記第二のリムを前記第一のレンズの上方に移動させることができるので、視線を移すことなく正面視の状態で第一のレンズと第二のレンズを選択的に使用できる。
【００２５】
例えば小玉がレンズ下領域に形成された一般的な遠近両用レンズの場合、正面や斜め上に作業位置があると大きく見上げる姿勢になるが、本発明に係る眼鏡にあっては正面視の状態で第二のレンズを使用できるので、優れた作業性が実現される。
また、請求項１記載の発明によれば、前記第二のレンズの重量や前記第二のリムの重量を従来の眼鏡と比較して小さくできるので、重量に因る使用感や違和感が低減される。
【００２６】
更に、請求項１記載の発明によれば、前記第二のリムによって前記第二のレンズが強く保持されるので、前記第二のレンズの固定が緩んだり外れたりすることなく耐久性を向上させることができる。また、前記第二のレンズが強く保持されるので、横方向（顔幅方向）にレンズを拡大して形成させることが容易となる。従って、第二のレンズと使用者の瞳との相対位置に関わる個人差を補えるよう横長のレンズを用いることも容易となり、また、第二のレンズを通した視野も良好に確保できる。
【００２７】
請求項２記載の発明にあっては、前記第一のリムの上辺部を起点として前記第二のリムが上方又は下方に回動するようになるので、請求項１記載の発明の効果を容易に得ることができる。
【００２８】
請求項３記載の発明にあっては、前記第一のリムの上方に跳ね上げた状態の前記第二のリムを第一のリムの前方に位置するように下方に回動させるだけで、遠視を矯正して近くのものを良好に見ることができる。従って、請求項１記載の発明の効果を容易かつ確実に得ることができる。
【００２９】
請求項４記載の発明にあっては、クリングス部の上下移動によって、例えばクリングス部に取り付けられるパッド部の上下位置が可変となるので、正面視の状態で第一のレンズよりも小さく設定された第二のレンズの中央に視線が位置するように調整することが容易となる。従って、顔の形状に関して、例えばアジア系と欧米系の違いのように大きな相違があっても、１つの眼鏡で対応することができるようになる。
【００３０】
請求項５記載の発明にあっては、前記第一のリム（レンズ）を使用又は非使用の状態を一度の操作で維持できるので、第二のレンズを使用する際の手間が緩和する。
【００３１】
請求項６に記載の発明にあっては、前記第二のリムの使用時及び非使用時の状態が磁気によって維持されるので、固定又はその解除の操作が容易であり、前記第二のリムの使用又は非使用の状態の切り替えを作業中に負担なくできる。
【００３２】
請求項７に記載の発明にあっては、前記第二のリムが前記第一のレンズと干渉しないので、前記第二のリムの回動操作によって前記第一のレンズに傷が付くことが防止される。
【図面の簡単な説明】
【００３３】
【図１】本発明に係る眼鏡の一実施形態を示す図であり、（Ａ）は平面図、（Ｂ）は正面図である。
【図２】図１の第二のリムの上下回動と固定状態を示す図である。
【図３】図１のクリングス部を示す図であり、（Ａ）はクリングス部の分解図、（Ｂ）は図３（Ａ）のＡ-Ａ線断面図、（Ｃ）はクリングス固定手段を示す断面図である。
【図４】図１の眼鏡の調整の流れを示すフローチャートである。
【図５】図１のクリングス部の調整方法を示す図である。
【発明を実施するための形態】
【００３４】
添付図面を参照して、本発明に係る眼鏡の実施形態を説明する。
本実施形態の眼鏡は、第一のレンズに対して第二のレンズが取り付けられ、その第二のレンズが上下回動可能に構成された眼鏡である。
【００３５】
眼鏡１０は、図１（Ａ）及び（Ｂ）に示すように、近視用の第一のレンズ１１，１１（図１（Ｂ））が装着されて第一のブリッジ１２により接合された一対の第一のリム１３，１３と、この第一のリム１３，１３にヨロイ（智）１４，１４及びヒンジ１５，１５を介して回動可能に接合された一対のテンプル１６，１６を備えている。
また、使用時には第一のレンズ１１，１１の前方に配置され、遠視用の第二のレンズ１７，１７（図１（Ｂ））が装着されて第二のブリッジ１８により接合された第二のリム１９，１９を備えている。
【００３６】
この第二のリム１９，１９は、図１（Ｂ）に示すように、第一のリム１３，１３よりもレンズ取り付け部が小径に形成され、正面視で第二のリム１９，１９が完全に第一のリム１３，１３の内領域に内包されるように形成されている。
【００３７】
ここで、第一のリム１３，１３の上辺部には回動凹部２０，２０が設けられ、第二のリム１９，１９の上辺部には回動凹部２０，２０に係合する回動凸部２１，２１が設けられており、第二のリム１９，１９が回動凸部２１，２１を支点として上方又は下方に回動可能となるように第一のリム１３，１３に取り付けられている。
【００３８】
図２は図１の第二のリム１９，１９の上下回動と固定状態を示す図である。
眼鏡１０は、図２に示すように第二のリム１９，１９が回動凸部２１，２１（図１（Ａ）及び（Ｂ））を支点として下方に回動し第一のレンズ１１，１１の前方に配置されとき、互いに当接し着脱可能に磁気吸着する第一の側部固定部２２と第二の側部固定部２３を備えている。
第一の側部固定部２２は片方の第一のリム１３に設けられ、第二の側部固定部２３は側部固定用支持部２４を介して第一のリム１３と対向する片方の第二のリム１９に設けられている。
【００３９】
また、眼鏡１０は、図２に示すように第二のリム１９，１９が回動凸部２１，２１（図１（Ａ）及び（Ｂ））を支点として上方に回動し第一のレンズ１１，１１の前方から退避（上方に配置）されたとき、互いに当接し着脱可能に磁気吸着する第一の上部固定部２５と第二の上部固定部２６を備えている。
第一の上部固定部２５は第一の上部固定用支持部２７を介して片方の第一のリム１３，１３に設けられ、第二の上部固定部２６は第二の上部固定用支持部２８を介して第二のリム１９に設けられている。
【００４０】
図３は図１のクリングス部３０を示す図であり、（Ａ）はクリングス部３０の分解図、（Ｂ）は図３（Ａ）のＡ-Ａ線断面図、（Ｃ）はクリングス固定手段を示す断面図である。尚、図３の点線で示した部分は背後の構造を示す。
眼鏡１０の第一のブリッジ１２には、図３に示すような上下動可能に構成された可動式のクリングス部３０が設けられている。この可動式のクリングス部３０は、装着の状態で使用者の顔と接触するパッド３１，３１を保持するとともに、第一のリム１３，１３に固定されてパッド３１，３１の位置を上下に可変とする。
【００４１】
このクリングス部３０は、図３（Ａ）及びの上図に示すように、第一のブリッジ１２に固定されて装着時内方に向かって突設された凸状のスライド軸部３２（３２ａはスライド軸部３２の上面部、３２ｂはスライド軸部３２の下面部）を有するクリングス基体部３３と、図３（Ａ）の下図に示すように、凸状のスライド軸部３２が摺動可能に挿通されるスライド長穴部３４を有するクリングス可動部３５とを有している。
【００４２】
クリングス基体部３３の凸状のスライド軸部３２は、図３（Ａ）及び（Ｂ）に示すように、全体として縦長の断面楕円形に形成されており、上下方向中央に円形の雌ネジ部３６が形成されている。即ち、スライド軸部３２の肉厚は、円形の雌ネジ部３６を挟んで上下方向に厚く横方向に薄く設定されている。
【００４３】
クリングス可動部３５のスライド移動によって、スライド長穴部３４の内側上部３４ａとスライド軸部３２の外側上部３２ａ、スライド長穴部３４の内側下部３４ｂとスライド軸部３２の外側下部３２ｂが互いに接触しうる。しかし、上記のスライド軸部３２の肉厚設定によって、無用な重量増加を抑えつつ、クリングス部３０の構造及び機能の長期確保が図られている。
【００４４】
クリングス可動部３５は、パッド３１，３１を保持した一対のクリングス本体部３７を保持している。クリングス可動部３５のうち、スライド長穴部３４が形成された部位は、一対のクリングス本体部３７で挟まれた中央部にて上下方向に延びて形成されている。
【００４５】
眼鏡１０は、図３（Ｃ）に示すように、クリングス固定手段として雄ネジ３８とスペーサ３９とを有している。
図３（Ａ）及び（Ｂ）に示すように、クリングス部３０の固定の際は、クリングス基体部３３が有するスライド軸部３２とクリングス可動部３５が有するスライド長穴部３４が所定の位置決めを経て嵌め合わされる。
【００４６】
そして、このスライド長穴部３４に雄ネジ３８の軸部４０が挿通され、雄ネジ３８がスライド軸部３２の雌ネジ部３６と螺合されることで、クリングス基体部３３とクリングス可動部３５が互いに締結される。尚、スペーサ３９は、クリングス可動部３５のネジ止めによる傷付き防止又は雄ネジ３８の軸部４０の長さと雌ネジ部３６の深さの不適合を吸収し調整する機能を有し、スペーサ３９の厚みは適宜設定される。
【００４７】
また、眼鏡１０の第二のブリッジ１８には、図１（Ａ）に示すように、第二のリム１９，１９の使用時に第一のレンズ１１，１１と第二のレンズ１７，１７又は第一のリム１３，１３との干渉を回避しうるストッパ部４１，４１が設けられている。このストッパ部４１，４１は、眼鏡１０を正面から見て視認されないよう形状及び寸法が設定されている。
【００４８】
次に、眼鏡１０の第一のリム１３，１３と第二のリム１９，１９の組み合わせ（通称：バイフォーカルフレーム）について、適切で且つ確実な使用を実現するための調整方法を説明する。
事前に、第一のレンズ１１，１１と第二のレンズ１７，１７を組み合わせた状態で焦点が矯正されるように各レンズが調整されているが、個人の顔の特徴に合わせて以下のように眼鏡１０の調整を行うことが好ましい。
【００４９】
図４は眼鏡１０の調整の流れを示すフローチャートである。
調整ステップ１０１は、眼鏡１０が備える一対のクリングス本体部３７の相互間隔を調整するステップである。調整ステップ１０２は、調整ステップ１０１に続き或いは調整ステップ１０２と併せて、クリングス本体部３７によって保持されているパッド３１，３１の角度を調整するステップである。
【００５０】
即ち、調整ステップ１０１及び調整ステップ１０２は、眼鏡１０の使用者の顔の特徴に合わせ、使用者の鼻筋にパッド３１，３１をフィットさせるステップである。
【００５１】
調整ステップ１０３は、調整ステップ１０２に続き、第二のリム１９，１９の調整を行うステップであり、クリングス部３０の上下位置を調整するステップである。
【００５２】
図５は図１のクリングス部３０の調整方法を示す図である。
眼鏡１０にあっては、雄ネジ３８（図３（Ｃ））を緩め、クリングス基体部３３のスライド軸部３２とクリングス可動部３５のスライド長穴部３４の相対位置を調整し、再び雄ネジ３８を締める。即ち、図５に示すように、クリングス本体部３７及びこれに保持されたパッド３１，３１の上下方向（図５の矢印方向）の位置が変更される。
【００５３】
調整ステップ１０４は、調整ステップ１０３で瞳孔位置が第二のリム１９，１９の中心に位置するようになっているか否か（Ｙｅｓ／Ｎｏ）を判断するステップである。瞳孔位置が第二のリム１９，１９の中心に位置するまで調整ステップ１０３を繰り返す。
【００５４】
調整ステップ１０５は、調整ステップ１０４で瞳孔位置が第二のリム１９，１９の中心にあると判断した場合に行い、モダン４２（図２）を使用者の耳の付根に沿って段階的（例えば２段階で）折り曲げるステップである。
【００５５】
調整ステップ１０６は、調整ステップ１０５に続いて行い、第一のレンズ１１，１１の光学中心をデータムライン（レンズの縦幅の２分の１の位置を通る基準線）の１．５ｍｍ上に位置するように調整するステップである。即ち、第一のレンズ１１，１１の光学中心は、第二のレンズ１７，１７を取り付けていない状態（一般的に光学中心はデータムラインの２ｍｍ上に設定される。）よりも、データムラインから近い距離に設定するのが好ましく、光学中心とデータムラインの具体的な相互距離は適宜調整する。
【００５６】
調整ステップ１０７は、眼鏡１０が全体的に平行になるように調整するステップである。この調整は、例えば、モダン４２の折り曲げ、パッド３１，３１の角度設定などによって行う。
【００５７】
調整ステップ１０８は、眼鏡１０が全体的に平行になっているか否か（Ｙｅｓ／Ｎｏ）を確認するステップであり、眼鏡１０が平行になるまで調整ステップ１０７を繰り返す。眼鏡１０が平行になっている場合は、これで調整が完了となる。
【００５８】
本実施形態の眼鏡１０にあっては、第二のリム１９，１９は、使用時には第一のレンズ１１，１１の前方に配置させることができるので、視線を移動させることなく正面視の状態で第二のレンズ１７，１７を使用することができる。また、第二のリム１９，１９は、非使用時には第一のレンズ１１，１１の上方に回動させて第一のリム１３，１３の前方から外すことができるので、視線を移動させることなく正面視の状態で第一のレンズ１１，１１を使用することができる。
【００５９】
また、第二のリム１９，１９は第一のリム１３，１３などのレンズの取り付け部分が小さく構成されるので、第二のレンズ１７，１７は第一のレンズ１１，１１よりも小さく形成されることになり、第二のレンズ１７，１７の重量が第一のレンズ１１，１１の重量よりも小さくなる。また、第二のリム１９，１９を構成する部材の減量も可能となり、第二のリムの重量も第一のリムの重量よりも小さくなる。
【００６０】
更に、第二のレンズ１７，１７は、第二のリム１９，１９に取付けられる。即ち、特許文献３の眼鏡のように第二のレンズがリムを用いないで固定する場合と比較して、第二のレンズが強く保持される。
【００６１】
即ち、本実施形態の眼鏡１０にあっては、第二のリム１９，１９によって第二のレンズ１７，１７が強く保持されるので、第二のレンズ１７，１７の固定が緩んだり外れたりすることなく耐久性を向上させることができる。また、第二のレンズ１７，１７が強く保持されるので、横方向（顔幅方向）にレンズを拡大して形成させることが容易となる。従って、第二のレンズ１７，１７と使用者の瞳との相対位置に関わる個人差を補えるよう横長のレンズを用いることも容易となり、また、第二のレンズを通した視野も良好に確保できる。
【００６２】
以上、本発明に係る眼鏡１０を１つの実施形態に基づき説明してきたが、具体的な構成については、本実施形態に限られるものではなく、特許請求の範囲に記載の発明の要旨を逸脱しない限り変更や追加等は許容される。
【００６３】
本実施形態の眼鏡１０は、第一のレンズ１１，１１として近視用のレンズを用い、第二のレンズとして遠視用のレンズを用いる例を示したが、例えば、第二のリムに視力矯正用のレンズに限らず医療用の拡大鏡（ルーペ）を取り付けるような眼鏡であってもよい。
【００６４】
また、本発明に係るレンズの語は、網膜上に焦点が位置するよう視力を矯正する機能を有するものでななく、調光・偏光、赤外線カット、カラーなどの機能を有するレンズや防護用のゴーグルなど、広く使用者の眼前に配置されるものをいう。
【００６５】
また、本実施形態の第一の側部固定部２２は第一のリム１３，１３に設ける例を示したが、例えば、一方のヨロイ１４に磁性を与えてヨロイ１４と一体的に構成したり、その他の位置に設けても良い。
【００６６】
また、スライド軸部３２は、縦長の断面楕円形に形成し１つの部材で構成する例を示したが、形状については縦長の断面長方形状としてもよい。また、スライド軸部３２を１つの部材で構成するものに限らず、ネジ穴の上方近傍又は下方近傍にピン状のものを突設させて、クリングス可動部３５の移動を制限するようにしてもよい。
【産業上の利用可能性】
【００６７】
本発明に係る眼鏡は、眼鏡として広く利用可能であり、工芸・美術品の製作、外科・歯科等における手術・治療、時計及びその他の修理、極細加工、宝石鑑定、図面作成、模型製作、彫金・鍛金、小文字印刷など、広い産業分野で利用可能性を有している。
【符号の説明】
【００６８】
１０  眼鏡
１１  第一のレンズ
１２  第一のブリッジ
１３  第一のリム
１４  ヨロイ
１５  ヒンジ
１６  テンプル
１７  第二のレンズ
１８  第二のブリッジ
１９  第二のリム
２０  回動凹部
２１  回動凸部
２２  第一の側部固定部
２３  第二の側部固定部
２４  側部固定用支持部
２５  第一の上部固定部
２６  第二の上部固定部
２７  第一の上部固定用支持部
２８  第二の上部固定用支持部
３０  クリングス部
３１  パッド
３２  スライド軸部
３３  クリングス基体部
３４  スライド長穴部
３５  クリングス可動部
３６  雌ネジ部
３７  クリングス本体部
３８  雄ネジ
３９  スペーサ
４０  雄ネジの軸部
４１  ストッパ部
４２  モダン
【図１】
2018106004.tif 000003
【図２】
2018106004.tif 000004
【図３】
2018106004.tif 000005
【図４】
2018106004.tif 000006
【図５】
2018106004.tif 000007
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
第一のレンズが装着されて第一のブリッジにより接合された一対の第一のリムと、前記第一のリムに回動可能に接合された一対のテンプルと、使用時には前記第一のレンズの前方に配置され、第二のレンズが装着されて第二のブリッジにより接合された第二のリムとを備えた眼鏡において、
前記第二のリムは前記第一のリムよりもレンズ取り付け部が小径に形成されると共に前記第一のリムに上下方向に回動可能に取り付けられ、
前記第一のブリッジには、装着の状態で使用者の顔と接触するパッドを保持するとともに上下動可能に構成され、パッドの位置を上下に可変とするクリングス部が設けられ、
前記クリングス部は、
前記第一のブリッジに固定され、凸状のスライド軸部を有するクリングス基体部と、
前記スライド軸部が摺動可能に挿通されるスライド長穴部を有し、前記パッドを保持するクリングス可動部とを有し、
前記スライド軸部とスライド長穴部が螺合により固定されることにより、前記クリングス基体部とクリングス可動部が互いに締結可能に構成されていることを特徴とする眼鏡。
【請求項２】
前記第一のリムの上辺部には回動凹部が設けられると共に前記第二のリムの上辺部には前記回動凹部に係合する回動凸部が設けられていることを特徴とする請求項1記載の眼鏡。
【請求項３】
前記第二のリムは、前記第一のレンズと前記第二のレンズを組み合わせた状態で焦点が矯正されるように配置されることを特徴とする請求項１記載の眼鏡。
【請求項４】
前記第一のリム及び第二のリムには、前記第二のリムの使用時及び非使用時に前記第二のリムを着脱可能に前記第一のリムに固定することができる固定部が設けられていることを特徴とする請求項１記載の眼鏡。
【請求項５】
前記固定部は磁石により磁気吸着できるように構成されていることを特徴とする請求項４記載の眼鏡。
【請求項６】
前記第二のブリッジには、前記第二のリムの使用時に前記第一のレンズと前記第二のレンズとの干渉を回避しうるストッパ部が設けられていることを特徴とする請求項１記載の眼鏡。
【手続補正２】
【補正対象書類名】明細書
【補正対象項目名】全文
【補正方法】変更
【補正の内容】
【発明の詳細な説明】
【技術分野】
【０００１】
本発明は、第一のレンズに対して第二のレンズが取り付けられ、この第二のレンズが上下回動可能に構成された眼鏡に関する。
【背景技術】
【０００２】
従来、以下に列挙する眼鏡が提案されている。
（１）第一のリムに対して美観を損なうことなく第二のリムを取り付けることを目的とし、第一のリムと第二のリムを磁気によって相互に取り付けるようにした眼鏡（特許文献１）。
（２）多機能型の眼鏡を提供することを目的とし、第二のリムを第一のリムの取り付け部を起点に上下に回動可能とするとともに、第二のリムを第一のリムから着脱可能とした眼鏡（特許文献２）。
（３）第一のレンズに対し容易な取り外しを可能にして第二のレンズを取り付けることを目的とし、第二のレンズを第一のブリッジ付近を起点に上下方向の回動を可能とし、上方の回動を続けることで第二のレンズを第一のレンズから取り外せるようにした眼鏡（特許文献３）。
【先行技術文献】
【特許文献】
【０００３】
【特許文献１】特開２０１２−６８４６９号公報
【特許文献２】特開２００４−３３４０６７号公報
【特許文献３】特開２０１３−１９５８５３号公報
【発明の概要】
【発明が解決しようとする課題】
【０００４】
従来、１つのレンズ領域を主レンズ領域と補助レンズ領域（いわゆる小玉）に区分して、主レンズ領域を近視用とし小玉を遠視用とするような遠近両用レンズ（通称：バイフォーカルレンズ）を用いた眼鏡が広く用いられている。
しかしながら、遠近両用レンズにあっては、例えば、読書や筆記作業の際に小さな小玉の領域に視線を持っていく必要があり、不便性や疲労の問題で長時間の作業に向かない。例えば小玉がレンズ下領域に形成された一般的な遠近両用レンズでは、正面や斜め上に作業位置があると大きく見上げる姿勢になってしまうのである。また、遠近両用レンズは製造も難しく高価になる傾向がある。
【０００５】
特許文献１〜特許文献３に示されている眼鏡を用いると、第一のレンズを近視用とし第二のレンズを遠視用とすることで、バイフォーカルレンズのように視線を小玉に移すことなく常に正面視の状態で第一及び第二のレンズを通して遠くや近くを見ることができる。
即ち、従来の眼鏡にあっては、第一のレンズを使用するとき、第二のレンズを上方に回動させて第一のレンズの前面から退避させ、第二のレンズを使用するとき、第二のレンズを下方に回動させて第一のレンズの前面に配置される。
【０００６】
しかしながら、特許文献１及び特許文献２に示される眼鏡にあっては、第一のリムと第二のリムの大きさが同程度であり、第二のリムが補助的であることとも相俟って、眼鏡の重量に因る使用感や違和感が顕著になる点が嫌気されていた。
【０００７】
また、特許文献３の眼鏡のように第二のレンズが第一のレンズにリムを用いずにポイント的に固定されるものは、第二のレンズの繰り返し回動操作によってレンズの固定が緩んだり外れたりしやすい。また、第二のレンズがポイント的な固定であることから、レンズの健全な保持の観点から横方向（顔幅方向）にレンズを広げて形成することは困難である。そのため、第二のレンズと瞳の相対位置に関わる個人差を補うことが困難であったり、第二のレンズを通した視野が制限されたりする。
【０００８】
本発明は上記事情に鑑みてなされたもので、視線を移すことなく正面視の状態で第一のレンズと第二のレンズを選択的に使用できるとともに、眼鏡の重量に因る使用感や違和感が低減され、かつ、第二のレンズの良好な保持や顔幅方向にレンズを広げて形成することが容易となる眼鏡を提供することを目的とする。
【課題を解決するための手段】
【０００９】
上述した目的を達成するため、請求項１記載の発明にあっては、第一のレンズが装着されて第一のブリッジにより接合された一対の第一のリムと、前記第一のリムに回動可能に接合された一対のテンプルと、使用時には前記第一のレンズの前方に配置され、第二のレンズが装着されて第二のブリッジにより接合された第二のリムとを備えた眼鏡において、前記第二のリムは前記第一のリムよりもレンズ取り付け部が小径に形成されると共に前記第一のリムに上下方向に回動可能に取り付けられ、前記第一のブリッジには、装着の状態で使用者の顔と接触するパッドを保持するとともに上下動可能に構成され、パッドの位置を上下に可変とするクリングス部が設けられ、前記クリングス部は、前記第一のブリッジに固定され、凸状のスライド軸部を有するクリングス基体部と、前記スライド軸部が摺動可能に挿通されるスライド長穴部を有し、前記パッドを保持するクリングス可動部とを有し、前記スライド軸部とスライド長穴部が螺合により固定されることにより、前記クリングス基体部とクリングス可動部が互いに締結可能に構成されていることを特徴とする。
【００１０】
即ち、前記第二のリムは、使用時には前記第一のレンズの前方に配置させることができるので、視線を移動させることなく正面視の状態で前記第二のレンズを使用することができる。また、前記第二のリムは、非使用時には前記第一のレンズの上方に回動させて前記第一のリムの前方から外すことができるので、視線を移動させることなく正面視の状態で前記第一のレンズを使用することができる。
【００１１】
また、前記第二のリムは前記第一のリムよりもレンズ取り付け部（レンズを収容する領域）が小径に形成されるので、前記第二のレンズは前記第一のレンズよりも小さく形成されることになり、前記第二のレンズの重量が前記第一のレンズの重量よりも小さくなる。また、前記第二のリムを構成する部材の減量も可能となり、前記第二のリムの重量も前記第一のリムの重量よりも小さくなる。
【００１２】
更に、前記第二のレンズは、前記第二のリムのレンズ取付け部に取付けられる。即ち、特許文献３の眼鏡のように第二のレンズがリムを用いないで固定する場合と比較して、第二のレンズが強く保持される。
【００１３】
また、前記クリングス部により、使用の状態で使用者の顔と接触するパッドの位置が上下に可変となる。
【００１４】
請求項２記載の発明にあっては、請求項１記載の構成に加えて、前記第一のリムの上辺部には回動凹部が設けられると共に前記第二のリムの上辺部には前記回動凹部に係合する回動凸部が設けられていることを特徴とする。
【００１５】
即ち、互いに係合して回動する凹部と凸部が前記第一のリムの上辺に設けられているので前記第一のリムの上辺部を起点として前記第二のリムが上方又は下方に回動するようになる。
【００１６】
請求項３記載の発明にあっては、前記第二のリムは、前記第一のレンズと前記第二のレンズを組み合わせた状態で焦点が矯正されるように配置されることを特徴とする。
【００１７】
例えば、前記第一のレンズとして近視用のレンズが用いられ、このレンズを使用して焦点が矯正される（網膜上に焦点が設定されピントが合わされる）。次いで、前記第一のレンズを使用した状態で、近くの物体を見たときにピントが合うように前記第二のレンズが調整される。
従って、近視用としての第一のレンズを使用するときは、遠視用の第二のリムを第一のリムの上方に跳ね上げておき、跳ね上げた状態の第二のリムを第一のリムの前方に位置するように下方に回動させるだけで、遠視を矯正して近くのものを良好に見ることができる。
【００１８】
請求項４記載の発明にあっては、請求項１記載の構成に加えて、前記第一のリム及び前記第二のリムには、前記第二のリムの使用時及び非使用時に前記第二のリムを着脱可能に前記第一のリムに固定することができる固定部が設けられていることを特徴とする。
【００１９】
従って、前記第一のリム（レンズ）を使用するときは、その使用中に前記第二のリムを前記第一のリムの上方に退避させておくことができる。また、前記第二のリム（レンズ）を使用するときは、その使用中に前記第二のリムを前記第一のレンズの前面に配置させておくことができる。
【００２０】
請求項５記載の発明にあっては、請求項４記載の構成に加えて、前記固定部は磁石により磁気吸着できるように構成されていることを特徴とする。従って、前記第二のリムの使用時及び非使用時の状態が磁気によって維持される。
【００２１】
請求項６記載の発明にあっては、請求項１記載の構成に加えて、前記第二のリムには、前記第二のリムの使用時に前記第一のレンズと前記第二のレンズとの干渉を回避しうるストッパ部が設けられていることを特徴とする。
【００２２】
従って、前記第二のリムを下方に回動させたとき、前記第二のリムが弾み付いて勢いよく回動した場合であっても前記第二のレンズ又は前記第二のリムが前記第一のレンズと干渉しないようになる。
【発明の効果】
【００２３】
請求項１記載の発明にあっては、使用時に前記第二のリムを前記第一のレンズの前方に配置させ、非使用時に前記第二のリムを前記第一のレンズの上方に移動させることができるので、視線を移すことなく正面視の状態で第一のレンズと第二のレンズを選択的に使用できる。
【００２４】
例えば小玉がレンズ下領域に形成された一般的な遠近両用レンズの場合、正面や斜め上に作業位置があると大きく見上げる姿勢になるが、本発明に係る眼鏡にあっては正面視の状態で第二のレンズを使用できるので、優れた作業性が実現される。
また、請求項１記載の発明によれば、前記第二のレンズの重量や前記第二のリムの重量を従来の眼鏡と比較して小さくできるので、重量に因る使用感や違和感が低減される。
【００２５】
更に、請求項１記載の発明によれば、前記第二のリムによって前記第二のレンズが強く保持されるので、前記第二のレンズの固定が緩んだり外れたりすることなく耐久性を向上させることができる。また、前記第二のレンズが強く保持されるので、横方向（顔幅方向）にレンズを拡大して形成させることが容易となる。従って、第二のレンズと使用者の瞳との相対位置に関わる個人差を補えるよう横長のレンズを用いることも容易となり、また、第二のレンズを通した視野も良好に確保できる。
【００２６】
加えて、クリングス部の上下移動によって、例えばクリングス部に取り付けられるパッド部の上下位置が可変となるので、正面視の状態で第一のレンズよりも小さく設定された第二のレンズの中央に視線が位置するように調整することが容易となる。従って、顔の形状に関して、例えばアジア系と欧米系の違いのように大きな相違があっても、１つの眼鏡で対応することができるようになる。
【００２７】
請求項２記載の発明にあっては、前記第一のリムの上辺部を起点として前記第二のリムが上方又は下方に回動するようになるので、請求項１記載の発明の効果を容易に得ることができる。
【００２８】
請求項３記載の発明にあっては、前記第一のリムの上方に跳ね上げた状態の前記第二のリムを第一のリムの前方に位置するように下方に回動させるだけで、遠視を矯正して近くのものを良好に見ることができる。従って、請求項１記載の発明の効果を容易かつ確実に得ることができる。
【００２９】
請求項４に記載の発明にあっては、前記第一のリム（レンズ）を使用又は非使用の状態を一度の操作で維持できるので、第二のレンズを使用する際の手間が緩和する。
【００３０】
請求項５に記載の発明にあっては、前記第二のリムの使用時及び非使用時の状態が磁気によって維持されるので、固定又はその解除の操作が容易であり、前記第二のリムの使用又は非使用の状態の切り替えを作業中に負担なくできる。
【００３１】
請求項６に記載の発明にあっては、前記第二のリムが前記第一のレンズと干渉しないので、前記第二のリムの回動操作によって前記第一のレンズに傷が付くことが防止される。
【図面の簡単な説明】
【００３２】
【図１】本発明に係る眼鏡の一実施形態を示す図であり、（Ａ）は平面図、（Ｂ）は正面図である。
【図２】図１の第二のリムの上下回動と固定状態を示す図である。
【図３】図１のクリングス部を示す図であり、（Ａ）はクリングス部の分解図、（Ｂ）は図３（Ａ）のＡ-Ａ線断面図、（Ｃ）はクリングス固定手段を示す断面図である。
【図４】図１の眼鏡の調整の流れを示すフローチャートである。
【図５】図１のクリングス部の調整方法を示す図である。
【発明を実施するための形態】
【００３３】
添付図面を参照して、本発明に係る眼鏡の実施形態を説明する。
本実施形態の眼鏡は、第一のレンズに対して第二のレンズが取り付けられ、その第二のレンズが上下回動可能に構成された眼鏡である。
【００３４】
眼鏡１０は、図１（Ａ）及び（Ｂ）に示すように、近視用の第一のレンズ１１，１１（図１（Ｂ））が装着されて第一のブリッジ１２により接合された一対の第一のリム１３，１３と、この第一のリム１３，１３にヨロイ（智）１４，１４及びヒンジ１５，１５を介して回動可能に接合された一対のテンプル１６，１６を備えている。
また、使用時には第一のレンズ１１，１１の前方に配置され、遠視用の第二のレンズ１７，１７（図１（Ｂ））が装着されて第二のブリッジ１８により接合された第二のリム１９，１９を備えている。
【００３５】
この第二のリム１９，１９は、図１（Ｂ）に示すように、第一のリム１３，１３よりもレンズ取り付け部が小径に形成され、正面視で第二のリム１９，１９が完全に第一のリム１３，１３の内領域に内包されるように形成されている。
【００３６】
ここで、第一のリム１３，１３の上辺部には回動凹部２０，２０が設けられ、第二のリム１９，１９の上辺部には回動凹部２０，２０に係合する回動凸部２１，２１が設けられており、第二のリム１９，１９が回動凸部２１，２１を支点として上方又は下方に回動可能となるように第一のリム１３，１３に取り付けられている。
【００３７】
図２は図１の第二のリム１９，１９の上下回動と固定状態を示す図である。
眼鏡１０は、図２に示すように第二のリム１９，１９が回動凸部２１，２１（図１（Ａ）及び（Ｂ））を支点として下方に回動し第一のレンズ１１，１１の前方に配置されとき、互いに当接し着脱可能に磁気吸着する第一の側部固定部２２と第二の側部固定部２３を備えている。
第一の側部固定部２２は片方の第一のリム１３に設けられ、第二の側部固定部２３は側部固定用支持部２４を介して第一のリム１３と対向する片方の第二のリム１９に設けられている。
【００３８】
また、眼鏡１０は、図２に示すように第二のリム１９，１９が回動凸部２１，２１（図１（Ａ）及び（Ｂ））を支点として上方に回動し第一のレンズ１１，１１の前方から退避（上方に配置）されたとき、互いに当接し着脱可能に磁気吸着する第一の上部固定部２５と第二の上部固定部２６を備えている。
第一の上部固定部２５は第一の上部固定用支持部２７を介して片方の第一のリム１３，１３に設けられ、第二の上部固定部２６は第二の上部固定用支持部２８を介して第二のリム１９に設けられている。
【００３９】
図３は図１のクリングス部３０を示す図であり、（Ａ）はクリングス部３０の分解図、（Ｂ）は図３（Ａ）のＡ-Ａ線断面図、（Ｃ）はクリングス固定手段を示す断面図である。尚、図３の点線で示した部分は背後の構造を示す。
眼鏡１０の第一のブリッジ１２には、図３に示すような上下動可能に構成された可動式のクリングス部３０が設けられている。この可動式のクリングス部３０は、装着の状態で使用者の顔と接触するパッド３１，３１を保持するとともに、第一のリム１３，１３に固定されてパッド３１，３１の位置を上下に可変とする。
【００４０】
このクリングス部３０は、図３（Ａ）及びの上図に示すように、第一のブリッジ１２に固定されて装着時内方に向かって突設された凸状のスライド軸部３２（３２ａはスライド軸部３２の上面部、３２ｂはスライド軸部３２の下面部）を有するクリングス基体部３３と、図３（Ａ）の下図に示すように、凸状のスライド軸部３２が摺動可能に挿通されるスライド長穴部３４を有するクリングス可動部３５とを有している。
【００４１】
クリングス基体部３３の凸状のスライド軸部３２は、図３（Ａ）及び（Ｂ）に示すように、全体として縦長の断面楕円形に形成されており、上下方向中央に円形の雌ネジ部３６が形成されている。即ち、スライド軸部３２の肉厚は、円形の雌ネジ部３６を挟んで上下方向に厚く横方向に薄く設定されている。
【００４２】
クリングス可動部３５のスライド移動によって、スライド長穴部３４の内側上部３４ａとスライド軸部３２の外側上部３２ａ、スライド長穴部３４の内側下部３４ｂとスライド軸部３２の外側下部３２ｂが互いに接触しうる。しかし、上記のスライド軸部３２の肉厚設定によって、無用な重量増加を抑えつつ、クリングス部３０の構造及び機能の長期確保が図られている。
【００４３】
クリングス可動部３５は、パッド３１，３１を保持した一対のクリングス本体部３７を保持している。クリングス可動部３５のうち、スライド長穴部３４が形成された部位は、一対のクリングス本体部３７で挟まれた中央部にて上下方向に延びて形成されている。
【００４４】
眼鏡１０は、図３（Ｃ）に示すように、クリングス固定手段として雄ネジ３８とスペーサ３９とを有している。
図３（Ａ）及び（Ｂ）に示すように、クリングス部３０の固定の際は、クリングス基体部３３が有するスライド軸部３２とクリングス可動部３５が有するスライド長穴部３４が所定の位置決めを経て嵌め合わされる。
【００４５】
そして、このスライド長穴部３４に雄ネジ３８の軸部４０が挿通され、雄ネジ３８がスライド軸部３２の雌ネジ部３６と螺合されることで、クリングス基体部３３とクリングス可動部３５が互いに締結される。尚、スペーサ３９は、クリングス可動部３５のネジ止めによる傷付き防止又は雄ネジ３８の軸部４０の長さと雌ネジ部３６の深さの不適合を吸収し調整する機能を有し、スペーサ３９の厚みは適宜設定される。
【００４６】
また、眼鏡１０の第二のブリッジ１８には、図１（Ａ）に示すように、第二のリム１９，１９の使用時に第一のレンズ１１，１１と第二のレンズ１７，１７又は第一のリム１３，１３との干渉を回避しうるストッパ部４１，４１が設けられている。このストッパ部４１，４１は、眼鏡１０を正面から見て視認されないよう形状及び寸法が設定されている。
【００４７】
次に、眼鏡１０の第一のリム１３，１３と第二のリム１９，１９の組み合わせ（通称：バイフォーカルフレーム）について、適切で且つ確実な使用を実現するための調整方法を説明する。
事前に、第一のレンズ１１，１１と第二のレンズ１７，１７を組み合わせた状態で焦点が矯正されるように各レンズが調整されているが、個人の顔の特徴に合わせて以下のように眼鏡１０の調整を行うことが好ましい。
【００４８】
図４は眼鏡１０の調整の流れを示すフローチャートである。
調整ステップ１０１は、眼鏡１０が備える一対のクリングス本体部３７の相互間隔を調整するステップである。調整ステップ１０２は、調整ステップ１０１に続き或いは調整ステップ１０２と併せて、クリングス本体部３７によって保持されているパッド３１，３１の角度を調整するステップである。
【００４９】
即ち、調整ステップ１０１及び調整ステップ１０２は、眼鏡１０の使用者の顔の特徴に合わせ、使用者の鼻筋にパッド３１，３１をフィットさせるステップである。
【００５０】
調整ステップ１０３は、調整ステップ１０２に続き、第二のリム１９，１９の調整を行うステップであり、クリングス部３０の上下位置を調整するステップである。
【００５１】
図５は図１のクリングス部３０の調整方法を示す図である。
眼鏡１０にあっては、雄ネジ３８（図３（Ｃ））を緩め、クリングス基体部３３のスライド軸部３２とクリングス可動部３５のスライド長穴部３４の相対位置を調整し、再び雄ネジ３８を締める。即ち、図５に示すように、クリングス本体部３７及びこれに保持されたパッド３１，３１の上下方向（図５の矢印方向）の位置が変更される。
【００５２】
調整ステップ１０４は、調整ステップ１０３で瞳孔位置が第二のリム１９，１９の中心に位置するようになっているか否か（Ｙｅｓ／Ｎｏ）を判断するステップである。瞳孔位置が第二のリム１９，１９の中心に位置するまで調整ステップ１０３を繰り返す。
【００５３】
調整ステップ１０５は、調整ステップ１０４で瞳孔位置が第二のリム１９，１９の中心にあると判断した場合に行い、モダン４２（図２）を使用者の耳の付根に沿って段階的（例えば２段階で）折り曲げるステップである。
【００５４】
調整ステップ１０６は、調整ステップ１０５に続いて行い、第一のレンズ１１，１１の光学中心をデータムライン（レンズの縦幅の２分の１の位置を通る基準線）の１．５ｍｍ上に位置するように調整するステップである。即ち、第一のレンズ１１，１１の光学中心は、第二のレンズ１７，１７を取り付けていない状態（一般的に光学中心はデータムラインの２ｍｍ上に設定される。）よりも、データムラインから近い距離に設定するのが好ましく、光学中心とデータムラインの具体的な相互距離は適宜調整する。
【００５５】
調整ステップ１０７は、眼鏡１０が全体的に平行になるように調整するステップである。この調整は、例えば、モダン４２の折り曲げ、パッド３１，３１の角度設定などによって行う。
【００５６】
調整ステップ１０８は、眼鏡１０が全体的に平行になっているか否か（Ｙｅｓ／Ｎｏ）を確認するステップであり、眼鏡１０が平行になるまで調整ステップ１０７を繰り返す。眼鏡１０が平行になっている場合は、これで調整が完了となる。
【００５７】
本実施形態の眼鏡１０にあっては、第二のリム１９，１９は、使用時には第一のレンズ１１，１１の前方に配置させることができるので、視線を移動させることなく正面視の状態で第二のレンズ１７，１７を使用することができる。また、第二のリム１９，１９は、非使用時には第一のレンズ１１，１１の上方に回動させて第一のリム１３，１３の前方から外すことができるので、視線を移動させることなく正面視の状態で第一のレンズ１１，１１を使用することができる。
【００５８】
また、第二のリム１９，１９は第一のリム１３，１３などのレンズの取り付け部分が小さく構成されるので、第二のレンズ１７，１７は第一のレンズ１１，１１よりも小さく形成されることになり、第二のレンズ１７，１７の重量が第一のレンズ１１，１１の重量よりも小さくなる。また、第二のリム１９，１９を構成する部材の減量も可能となり、第二のリムの重量も第一のリムの重量よりも小さくなる。
【００５９】
更に、第二のレンズ１７，１７は、第二のリム１９，１９に取付けられる。即ち、特許文献３の眼鏡のように第二のレンズがリムを用いないで固定する場合と比較して、第二のレンズが強く保持される。
【００６０】
即ち、本実施形態の眼鏡１０にあっては、第二のリム１９，１９によって第二のレンズ１７，１７が強く保持されるので、第二のレンズ１７，１７の固定が緩んだり外れたりすることなく耐久性を向上させることができる。また、第二のレンズ１７，１７が強く保持されるので、横方向（顔幅方向）にレンズを拡大して形成させることが容易となる。従って、第二のレンズ１７，１７と使用者の瞳との相対位置に関わる個人差を補えるよう横長のレンズを用いることも容易となり、また、第二のレンズを通した視野も良好に確保できる。
【００６１】
以上、本発明に係る眼鏡１０を１つの実施形態に基づき説明してきたが、具体的な構成については、本実施形態に限られるものではなく、特許請求の範囲に記載の発明の要旨を逸脱しない限り変更や追加等は許容される。
【００６２】
本実施形態の眼鏡１０は、第一のレンズ１１，１１として近視用のレンズを用い、第二のレンズとして遠視用のレンズを用いる例を示したが、例えば、第二のリムに視力矯正用のレンズに限らず医療用の拡大鏡（ルーペ）を取り付けるような眼鏡であってもよい。
【００６３】
また、本発明に係るレンズの語は、網膜上に焦点が位置するよう視力を矯正する機能を有するものでななく、調光・偏光、赤外線カット、カラーなどの機能を有するレンズや防護用のゴーグルなど、広く使用者の眼前に配置されるものをいう。
【００６４】
また、本実施形態の第一の側部固定部２２は第一のリム１３，１３に設ける例を示したが、例えば、一方のヨロイ１４に磁性を与えてヨロイ１４と一体的に構成したり、その他の位置に設けても良い。
【００６５】
また、スライド軸部３２は、縦長の断面楕円形に形成し１つの部材で構成する例を示したが、形状については縦長の断面長方形状としてもよい。また、スライド軸部３２を１つの部材で構成するものに限らず、ネジ穴の上方近傍又は下方近傍にピン状のものを突設させて、クリングス可動部３５の移動を制限するようにしてもよい。
【産業上の利用可能性】
【００６６】
本発明に係る眼鏡は、眼鏡として広く利用可能であり、工芸・美術品の製作、外科・歯科等における手術・治療、時計及びその他の修理、極細加工、宝石鑑定、図面作成、模型製作、彫金・鍛金、小文字印刷など、広い産業分野で利用可能性を有している。
【符号の説明】
【００６７】
１０  眼鏡
１１  第一のレンズ
１２  第一のブリッジ
１３  第一のリム
１４  ヨロイ
１５  ヒンジ
１６  テンプル
１７  第二のレンズ
１８  第二のブリッジ
１９  第二のリム
２０  回動凹部
２１  回動凸部
２２  第一の側部固定部
２３  第二の側部固定部
２４  側部固定用支持部
２５  第一の上部固定部
２６  第二の上部固定部
２７  第一の上部固定用支持部
２８  第二の上部固定用支持部
３０  クリングス部
３１  パッド
３２  スライド軸部
３３  クリングス基体部
３４  スライド長穴部
３５  クリングス可動部
３６  雌ネジ部
３７  クリングス本体部
３８  雄ネジ
３９  スペーサ
４０  雄ネジの軸部
４１  ストッパ部
４２  モダン